(57)【要約】【課題】  撮影後に設定を戻す煩わしさを解消する。【解決手段】  操作部（１８）の設定切替えボタンの下には、設定切替えボタンの１段の押し込みによりスイッチオンになる第１スイッチオン状態、及び、前記設定切替えボタンの２段押し込みによりオンとなる第２スイッチオン状態を有する２段スイッチが組み込まれている。システム制御部（６０）は、第１スイッチオン状態に応じて設定を切り替えた場合、レリーズスイッチの操作による撮影の後に設定切り替え前の設定に復帰させ、第２スイッチオン状態に応じて設定を切り替えた場合、前記レリーズスイッチの操作による撮影の後にも切り替えた設定を維持する。【選択図】  図３
2010081028.tif 000002
【特許請求の範囲】
【請求項１】
撮影を行う為のレリーズスイッチと、
設定切替えボタンと，
前記設定切替えボタンの１段の押し込みによりスイッチオンになる第１スイッチオン状態、及び、前記設定切替えボタンの２段の押し込みによりオンとなる第２スイッチオン状態を有する２段スイッチと、
前記第１スイッチオン状態に応じて設定を切り替えた場合、前記レリーズスイッチの操作による撮影の後に設定切り替え前の設定に戻し、前記第２スイッチオン状態に応じて設定を切り替えた場合、前記レリーズスイッチの操作による撮影の後にも切り替えた設定を維持する制御手段
とを具備することを特徴とする撮像装置。
【請求項２】
更に、設定を戻すまでのレリーズ回数を設定する手段を具備し、
前記制御手段は、前記第１スイッチオン状態に応じて設定を切り替えた場合で前記レリーズスイッチのレリーズ回数が前記設定を戻すまでのレリーズ回数に達すると、設定切り替え前の設定に戻す
ことを特徴とする請求項１に記載の撮像装置。
【請求項３】
電源スイッチと、
設定切替えボタンと，
前記設定切替えボタンの１段の押し込みによりスイッチオンになる第１スイッチオン状態、及び、前記設定切替えボタンの２段の押し込みによりオンとなる第２スイッチオン状態を有する２段スイッチと、
前記第１スイッチオン状態に応じて設定を切り替えた場合、前記電源スイッチによる電源のオフの後に設定切り替え前の設定に戻し、前記第２スイッチオン状態に応じて設定を切り替えた場合、前記電源スイッチのオフの後にも切り替えた設定を維持する制御手段
とを具備することを特徴とする撮像装置。
【請求項４】
前記第１スイッチオン状態で設定を切り替えた場合と、前記第２スイッチオン状態で設定を切り替えた場合とでは、表示部に表示される機能アイコンの表示態様を互いに異ならせることを特徴とする請求項１乃至３の何れか１項に記載の撮像装置。
【発明の詳細な説明】
【技術分野】
【０００１】
本発明は、デジタルカメラ、デジタルビデオカメラ、又は、携帯電話機等のポータブル機器に内蔵されるカメラ等の撮像装置に関する。
【背景技術】
【０００２】
従来、デジタルカメラのような小型機器では、多くの操作ボタンを配置できなかったり、操作性上、多くの操作ボタンを配置したくないことがある。そのような機器では、接待対象を選択する操作手段と、選択された設定対象に対して設定値を選択し決定する操作手段を組み合わせて使用することが多い。前者の操作手段は、押す毎に選択対象が循環的にシフトする設定切替えボタンであり、後者の操作ボタンは、設定対象の設定値又は設定条件を選択入力する設定選択入力ボタン又は順送りする送りボタンからなる。送りボタンによる選択を決定する決定ボタンを設けることもある。
【０００３】
例えば、ストロボ設定を例に挙げると、設定切替えボタンで設定対象としてストロボを選択する。そして、切替えボタンを押すたびに、ストロボ自動、ストロボオン及びストロボオフが循環的に切り替わる。切り替わった設定が表示部に表示される。撮影者がストロボオフを希望している場合、設定選択入力ボタンでストロボオフを選択した状態で、設定切替えボタンを操作することで、ストロボに対する設定が完了する。
【０００４】
同様に、設定切替えボタンで、単写／連写／タイマ撮影、マクロ撮影／遠景撮影の切り替えを選択できるようにしたものもある。これらについても、設定切替えボタンにより設定対象を選択した状態で、希望の動作状態を選択する。設定切替えボタンを再度、押下することで、設定が完了する。再設定する場合には、再度、設定切替えボタンで設定対象に切り替える。
【０００５】
設定をリセットするリセットスイッチを設けているものもある（例えば、特許文献１参照）。
【特許文献１】特開平０８-１８４８７３号公報
【発明の開示】
【発明が解決しようとする課題】
【０００６】
ところで、設定対象によっては、一度撮影を行った後に元の状態に戻したい事がある。たとえば、撮影者も含めた集合写真を撮影するときはタイマ撮影を行うが、その撮影が終わった後は、単写撮影になる場合である。従来例では、タイマ撮影の後に単写撮影に切り替えなければいけない。設定を戻している間にシャッタチャンスを逃してしまう事もある。
【０００７】
同様に、一時的にストロボオンで撮影したい場合もあり、ストロボオンでの撮影後にストロボオフに戻す間に、被写体の状況が変化してしまいシャッタチャンスを逃すことがある。
【０００８】
更には、電源をオフして再度、電源をオンにした場合に以前の設定が維持されていると、設定の変更に時間がかかり、同様にシャッタチャンスを逃してしまうことがある。
【０００９】
本発明は、このような不都合を解消する撮像装置を提示することを目的とする。
【課題を解決するための手段】
【００１０】
かかる課題を達成するため、本発明に係る撮像装置は、撮影を行う為のレリーズスイッチと、設定切替えボタンと、前記設定切替えボタンの１段の押し込みによりスイッチオンになる第１スイッチオン状態、及び、前記設定切替えボタンの２段押し込みによりオンとなる第２スイッチオン状態を有する２段スイッチと、前記第１スイッチオン状態に応じて設定を切り替えた場合、前記レリーズスイッチの操作による撮影の後に設定切り替え前の設定に戻し、前記第２スイッチオン状態に応じて設定を切り替えた場合、前記レリーズスイッチの操作による撮影の後にも切り替えた設定を維持する制御手段とを具備することを特徴とする撮像装置。
【００１１】
本発明に係る撮像装置は、電源スイッチと、設定切替えボタンと，前記設定切替えボタンの１段の押し込みによりスイッチオンになる第１スイッチオン状態、及び、前記設定切替えボタンの２段押し込みによりオンとなる第２スイッチオン状態を有する２段スイッチと、前記第１スイッチオン状態に応じて設定を切り替えた場合、前記電源スイッチによる電源のオフの後に設定切り替え前の設定に戻し、前記第２スイッチオン状態に応じて設定を切り替えた場合、前記電源スイッチのオフの後にも切り替えた設定を維持する制御手段とを具備することを特徴とする。
【発明の効果】
【００１２】
本発明によれば、撮影後、又は電源オフ／オン後に、設定を再切り替えする煩わしさが解消され、再切り替えの間にシャッタチャンスを逃すことが無くす機会を少なくできる。
【発明を実施するための最良の形態】
【００１３】
以下、図面を参照して、本発明の実施例を詳細に説明する。
【００１４】
図１は、本発明に係る撮像装置の一実施例であるカメラの背面外観を示す。カメラ本体１０の上面にレリーズボタン１２と、電源スイッチ１４が配置され、背面に表示部１６と、複数の設定切替えボタン１８ａ，１８ｂ，１８ｃが配置されている。電源スイッチ１４を押下することで、カメラ本体１０の電源をオン／オフする事が出来る。表示部１６の画面には、撮影モードでは被写体２０を含む撮影視野内の画像が表示され、再生モードでは再生画像が表示される。撮影者がレリーズボタン１２を押下すると、撮影が実行され、撮影画像が後述するように記録媒体に記録される。
【００１５】
設定切り替えボタン１８ａによりストロボのオン／オフを設定する。設定切り替えボタン１８ｂにより単写／連写／タイマ撮影を設定する。設定切り替えボタン１８ｃにより、マクロ撮影／遠景撮影を設定する。設定内容は、表示部１６の表示画面上に、それぞれ対応する機能を示す機能アイコン１６ａとして表示される。
【００１６】
図２は、設定切り替えボタン１８ａ，１８ｂ，１８ｃにより操作されるスイッチ機構の断面構成を示す。設定切り替えボタン１８ａ，１８ｂ，１８ｃの１段の押し込みにより第１スイッチオン状態になり、２段の押し込みにより第２スイッチオン状態になる２段スイッチ２２が設置される。設定切り替えボタン１８ａ，１８ｂ，１８ｃが押下されると、まず、設定切り替えボタン１８ａ，１８ｂ，１８ｃがバネ接点２４にぶつかってバネ接点２４が変移し、バネ接点２４がバネ接点２６に接触する。この接触により、バネ接点２４と同２６が電気的に接続する端子２８，３０間が短絡する。この短絡を検出することでバネ接点２４と同２６の電気的接触を検知できる。この状態が半押し状態（又は第１スイッチオン状態）である。
【００１７】
さらに設定切り替えボタン１８ａ，１８ｂ，１８ｃを押下すると、バネ接点２４，２６が互いに接触した状態のまま、バネ接点２６が端子３２に接触する。端子３２の電位変化を検出することで、バネ接点２６と端子３２の電気的接触の有無を検出できる。この状態が全押し状態（又は第２スイッチオン状態）である。このような２段動作のスイッチ機構自体は，カメラのレリーズボタンで周知であり、それらで採用される構成をそのまま利用できる。
【００１８】
図３は、本実施例の概略構成ブロック図を示す。カメラ本体１０に図３に示す機能ブロックが収容される。
【００１９】
撮像部は、撮影レンズ４０、絞り機能を有するシャッタ４２、及び光学像を電気信号に変換するＣＣＤ型又はＣＭＯＳ型等の撮像素子４４からなる。Ａ／Ｄ変換器４６は、撮像部の撮像素子４４からのアナログ画像信号をデジタル信号に変換する。
【００２０】
マイク４８は周囲の音声を取り込んで電気音声信号を出力するデバイスである。スピーカ５０は音声信号を音響出力するデバイスである。音声制御部５２は、マイク４８からの入力音声信号をＡ／Ｄ変換器４６に供給し、Ｄ／Ａ変換器５４からのアナログ音声信号を増幅してスピーカ５０に供給する。Ａ／Ｄ変換器４６は、音声制御部５２からのアナログ音声信号もデジタル信号に変換する機能を果たす。
【００２１】
タイミング発生部５６は、撮像素子４４、音声制御部５２、Ａ／Ｄ変換器４６及びＤ／Ａ変換器５４にクロック信号又は制御信号を供給する。タイミング発生部５６は、メモリ制御部５８及びシステム制御部６０により制御される。
【００２２】
画像処理部６２は、画像データのリサイズ機能、色変換処理機能、ＡＷＢ（オートホワイトバランス）処理、並びに、露光制御及び測距制御のための演算機能を具備する。即ち、画像処理部６２は、Ａ／Ｄ変換器４６からの画像データ、又は、メモリ制御部５８からの画像データに所定の画素補間と縮小といったリサイズ処理及び色変換処理を行う。画像処理部６２はまた、撮影画像データに対して露光制御及び測距制御のための演算処理を行い、演算結果をシステム制御部６０に供給する。システム制御部６０は、画像処理部６２からのこの演算結果に従い、撮像部の露光と測距を制御する。具体的には、ＴＴＬ（スルー・ザ・レンズ）方式のＡＦ（オートフォーカス）処理、ＡＥ（自動露出）処理、及びＥＦ（フラッシュプリ発光）処理が行われる。
【００２３】
Ａ／Ｄ変換器４６の出力データは、画像処理部６２及びメモリ制御部５８を介して、又は、メモリ制御部５８を介して、メモリ６４に書き込まれる。メモリ６４は、取り込まれた音声データ、撮影した静止画像や動画像の画像データを一時記憶するメモリであり、これらのデータをファイル化する際のファイルヘッダも格納される。メモリ６４は、所定枚数の静止画像、並びに、所定時間の動画像および音声を格納するのに十分な記憶容量を備えている。メモリ６４はまた、記録媒体９２から読み出された圧縮データを伸長用に一時保存するのにも使用される。
【００２４】
圧縮伸長部６６は、適応離散コサイン変換（ＡＤＣＴ）等により画像データを圧縮伸長するデバイスである。圧縮伸長部６６は、シャッタ４２をトリガにしてメモリ６４の撮影画像データを読み込んで圧縮処理を行い、処理を終えた圧縮データをメモリ６４に書き戻す。システム制御部６０は、メモリ６４に書き込まれた圧縮データをファイル化し、インターフェース６８を介して記録媒体９２に書き込む。圧縮伸長部６６はまた、記録媒体９２から読み出されてメモリ６４に格納された圧縮データを伸長する。
【００２５】
また、メモリ６４は、画像表示用のフレームメモリを兼ねている。メモリ制御部５８は、メモリ６４に記憶される画像データ（撮影画像データ又は再生画像データ）を繰り返し読み出してＤ／Ａ変換器５４に供給する。Ｄ／Ａ変換器５４は、メモリ制御部５８からの画像データをアナログ信号に変換して、画像表示部１６に供給する。画像表示部１６は、例えば、液晶表示装置（ＬＣＤ）等からなり、Ｄ／Ａ変換器５４からの画像信号を画像表示する。
【００２６】
記録媒体９２から読み出された音声データは、メモリ６４及びメモリ制御部５８を介してＤ／Ａ変換器５４に供給され、ここでアナログ信号に変換されて音声制御部５２に供給される。音声制御部５２は、Ｄ／Ａ変換部５４からのアナログ音声信号を増幅してスピーカ５０に供給する。これにより、再生音声がスピーカ５０から出力される。
【００２７】
システム制御部６０は、カメラ本体１０の各部を全体的に制御する。不揮発性メモリ７０には、システム制御部６０の動作用の定数、変数及びプログラム等が格納される。不揮発性メモリ７０は電気的に消去・記録可能なメモリであり、例えばＥＥＰＲＯＭ等が用いられる。
【００２８】
レリーズボタン１２は、半押し状態でオンになるスイッチと、全押し状態でオンになるスイッチを具備する。システム制御部６０は、例えば、レリーズボタン１２の半押し状態で、ＡＦ処理、ＡＥ処理、ＡＷＢ処理及びＥＦ処理等の動作開始を各部に指示する。システム制御部６０は、レリーズボタン１２の全押し状態で、撮像素子４４の画像信号の読み出しから記録媒体９２への撮影画像データ（圧縮データ）の書込みまでの一連の撮像・録画処理の開始を指示する。
【００２９】
撮影者は、モード切替えスイッチ７２により、動作モードをシステム制御部６０に指示できる。例えば、静止画撮影モード、連続撮影（連写）モード、動画モード及び再生モード等のいずれかに切り替えることができる。
【００３０】
操作部１８の設定切替えボタン１８ａ，１８ｂ，１８ｃはそれぞれ、状況に応じた機能を割当て可能である。撮影者又は利用者は、表示部１６に表示される機能アイコン１６ａを視認することで、各設定切替えボタン１８ａ，１８ｂ，１８ｃの機能を確認できる。機能としては例えば、終了ボタン、戻るボタン、画像送りボタン、ジャンプボタン、絞込みボタン及び属性変更ボタン等がある。例えば、設定切り替えボタン１８ａ，１８ｂ，１８ｃが押されると、対応する内容を示す機能アイコン１６ａが画像表示部１６に表示される。利用者は、画像表示部１６に表示されるメニュー画面を見ながら、設定切り替えボタン１８ａ，１８ｂ，１８ｃを操作することでで、直感的に各種設定を行うことができる。
【００３１】
電源制御部７４は、電池検出回路、ＤＣ−ＤＣコンバータ、及び、通電するブロックを切り替えるスイッチ回路等により構成される。電源制御部７４は、電池の装着の有無、電池の種類及び電池残量を検出する、電源制御部７４は、この検出結果とシステム制御部６０からの指示に従いＤＣ−ＤＣコンバータを制御し、必要な電圧を必要な期間、記録媒体９２を含む各部に供給する。
【００３２】
電源部７６は、アルカリ電池又はリチウム電池等の一次電池、ＮｉＣｄ電池、ＮｉＭＨ電池又はＬｉ電池等の二次電池、若しくは、ＡＣアダプタ等からなる。電源部７６は、コネクタ７８，８０を介して電源制御部７４に接続する。
【００３３】
ＲＴＣ（Ｒｅａｌ  Ｔｉｍｅ  Ｃｌｏｃｋ）８２は、内部に独自の電源を保持し、電源部７６からの電力供給が無い状態でも、時計動作状態を続けている。システム制御部６０は、起動時にＲＴＣ８２から取得した日時情報を利用して、タイマ制御する。
【００３４】
メモリカード又はハードディスク等からなる記録媒体９２は、コネクタ９０に着脱自在である。カメラ本体１０のインターフェース６８が、コネクタ９０を介して記録媒体９２に接続し，記録媒体９２にデータを書き込み、記録媒体９２からデータを読み出す。記録媒体９２は、コネクタ９０に接続するコネクタ９４、インターフェース６８に対応するインターフェース９６及び記録部９８からなる。
【００３５】
記録媒体着脱検知部８４は、コネクタ９０に記録媒体９２が装着されているか否かを検知し、検知結果をシステム制御部６０に通知する。
【００３６】
通信部８６は、ＲＳ２３２Ｃ、ＵＳＢ、ＩＥＥＥ１３９４、Ｐ１２８４、ＳＣＳＩ、モデム、ＬＡＮ、又は無線通信等に従い、コネクタ／アンテナ８８を介して外部機器とデータをやりとりすることができる。
【００３７】
ストロボのオン／オフを切り替える場合を例に、本実施例の動作を説明する。図４は、設定切替えボタン１８ａの操作に対するシステム制御部６０の動作フローチャートを示す。本実施例では、ストロボの設定に関して２つの設定値Ｘ，Ｙを保持可能であり、設定値Ｘ，Ｙは何れも、初期値としてストロボオフを示すものとする。図５は、レリーズボタン１２の操作に対するシステム制御部６０の設定値Ｘを更新する動作のフローチャートを示す。
【００３８】
設定切替えボタン１８ａを半押し（第１スイッチオン状態）すると（Ｓ１）、設定値Ｘを別の設定値（ここでは、ストロボオン状態）に変更する（Ｓ２）。画像表示部１６の画面には、機能アイコン１６ａとしてストロボオンを示すアイコンが図６に示すような表示態様で表示される（Ｓ３）。設定値Ｙは、依然として、ストロボオフ状態を示す値を保持する。
【００３９】
設定切替えボタン１８ａを全押し（第２スイッチオン状態）にすることなしに（Ｓ４）、設定切替えボタン１８ａを半押し（第１スイッチオン状態）する度に（Ｓ１）、設定値Ｘが変更される（Ｓ２）。選択可能な３つ以上の設定値がある場合には、これらが循環的に設定値Ｘに設定されるが、この例では、ストロボのオンとオフしかないので、ステップＳ２では、設定値Ｘは単に２つの設定値間で交互するのみである。
【００４０】
設定切り替えボタン１８ａが全押し状態（第２スイッチオン状態）になると（Ｓ４）、設定値Ｙに設定値Ｘの内容を代入し（Ｓ５）、画像表示部１６に表示する機能アイコンの表示態様を、図７に示すような、第２スイッチオンを示す態様に変更する（Ｓ６）。
【００４１】
設定切り替えボタン１８ａが全押しされると、ステップＳ５により、２つの設定値Ｘ，Ｙが同じ内容を示すことになる。また、機能アイコン１６ａの表示態様を半押し状態時のそれ（図６）とは異なる表示態様（図７）とすることで、２つの設定値が同じ内容を示す状態になっていることを撮影者に示す。例えば、図６では、設定切り替えボタン１８ａの半押し状態で設定を切り替えているときの表示態様として、機能アイコン１６ａを四角枠付きで表示する。図７では、設定切り替えボタン１８ａを全押ししたときの表示態様として、機能アイコン１６ａを丸枠付きで表示している。このように表示態様を異なるものとすることで、撮影者は、どちらの操作により設定された設定内容かを視覚的に容易に認識することができる。
【００４２】
レリーズボタン１２が操作されると（Ｓ１１）、システム制御部６０は、設定値Ｘに従ってストロボを制御して撮像素子４４を露光し、上述のように、撮影画像を記録媒体９２に記録させる（Ｓ１２）。その後、システム制御部６０は、設定値Ｙを読み込み（Ｓ１３）、ストロボの設定を設定値Ｙに従う内容に変更し（Ｓ１４）、機能アイコン１６ａの表示態様を、設定値Ｙに従うものに変更する（Ｓ１５）。そして、設定値Ｙを設定値Ｘに上書きする（Ｓ１６）。
【００４３】
例えば、設定値Ｘがストロボオン状態を示し、設定値Ｙがストロボオフ状態を示しているとする。設定切り替えボタン１８ａが全押しされていないので、機能アイコン１６ａは、ストロボオンを図６に示す表示形態で表示される。この状態で、レリーズボタン１２が押下されると（Ｓ１１）、設定値Ｘに従い、ストロボが発光し、露光が行われる（Ｓ１２）。システム制御部６０は、設定値Ｙを読み込み（Ｓ１３）、ストロボ設定を設定値Ｙに従う内容に変更する（Ｓ１４）。機能アイコン１６ａは、設定値Ｙがストロボオフ状態を示すことから、ストロボオフを図６に示す表示形態で表示される（Ｓ１５）。そして、システム制御部６０は、設定値Ｙの内容を設定値Ｘに上書きする（Ｓ１６）。すなわち、ストロボ設定が、前回レリーズした直後の状態にリセットされる。
【００４４】
設定値Ｘ，Ｙが同じ内容、例えば，ストロボオン状態を示しているとする。これは、設定切替えボタン１８ａを全押し（第２スイッチオン状態）したときに相当する。
【００４５】
レリーズボタン１２が押下されると（Ｓ１１）と、設定値Ｘに従い、ストロボが発光し、露光が行われる（Ｓ１２）。その後、システム制御部６０は、設定値Ｙを読み込み（Ｓ１３）、ストロボ設定を設定値Ｙに従う内容に変更する（Ｓ１４）。機能アイコン１６ａは、設定値Ｙがストロボオン状態を示すことから、ストロボオンを図７に示す表示形態で表示される（Ｓ１５）。そして、システム制御部６０は、設定値Ｙの内容を設定値Ｘに上書きする（Ｓ１６）。すなわち、今回のレリーズの前後で、ストロボオン状態が維持される。
【００４６】
以上のような設定システムを使えば、レリーズスイッチを２回、続けて押下することで、ストロボオンの撮影とストロボオフの撮影を行える。ストロボ設定をマニュアルで切り替えている間にシャッタチャンスを逃すといったことを無くすことができる。
【００４７】
図７では、設定切替えボタン１８ａの全押しに対して丸枠付きのアイコン表示を採用したが，図８に示すように、破線の四角枠を付加的に表示するようにしてもよい。また、枠の表示色を変更しても良い。
【００４８】
上記実施例では、撮影後に設定をリセットするかしないかを２段スイッチで実現しているが、他の方法でも同様の機能を実現できる。例えば、図９に示すように、レリーズ回数を設定するレリーズ回数設定ボタン１９を設ける。そして、レリーズボタン１２によるレリーズ回数がレリーズ回数設定ボタン１９により設定されたレリーズ回数に達すると、予め指定された設定項目について、再設定を自動実行するようにする。例えば、ストロボのオン／オフを自動で再設定する。これにより、予め決められた枚数の、同じ設定での撮影画像を得ることができる。このとき、表示部１６には、再設定が行われるまでの残り撮影枚数１６ｂを表示する。このカウントが０になった時に、ストロボの再設定が行われる。
【００４９】
設定内容のリセットの可否をレリーズ回数に関係付けたが、電源のオフ／オンに関係付けてもよく、これにより、操作性を改善できる。
【図面の簡単な説明】
【００５０】
【図１】本発明の一実施例の背面から見た外観斜視図である。
【図２】設定切替えボタン１８ａ，１８ｂ，１８ｃの２段スイッチ構成を示す図である。
【図３】本実施例の概略構成ブロック図である。
【図４】本実施例のストロボに関する設定フローフローチャートである。
【図５】本実施例の撮影時の動作フローチャートである。
【図６】本実施例の機能アイコン１６ａの表示例である。
【図７】本実施例の機能アイコン１６ａの別の表示例である。
【図８】本実施例の機能アイコン１６ａの更に別の表示例である。
【図９】本発明の変更実施例の背面から見た外観斜視図である。
【符号の説明】
【００５１】
１０：カメラ本体
１２：レリーズボタン
１４：電源スイッチ
１６：表示部
１６ａ：機能アイコン
１６ｂ：撮影枚数
１８：操作部
１８ａ，１８ｂ，１８ｃ：設定切替えボタン
１９：レリーズ回数設定ボタン
２０：被写体
２２：２段スイッチ
２４：バネ接点
２６：バネ接点
２８，３０：端子
３２：端子
４０：撮影レンズ
４２：シャッタ
４４：撮像素子
４６：Ａ／Ｄ変換器
４８：マイク
５０：スピーカ
５２：音声制御部
５４：Ｄ／Ａ変換器
５６：タイミング発生部
５８：メモリ制御部
６０：システム制御部
６２：画像処理部
６４：メモリ
６６：圧縮伸長部
６８：インターフェース
７０：不揮発性メモリ
７２：モード切替えスイッチ
７４：電源制御部
７６：電源部
７８，８０：コネクタ
８２：ＲＴＣ（Ｒｅａｌ  Ｔｉｍｅ  Ｃｌｏｃｋ）
８４：記録媒体着脱検知部
８６：通信部
８８：コネクタ／アンテナ
９０：コネクタ
９２：記録媒体
９４：コネクタ
９６：インターフェース
９８：記録部
【図１】
2010081028.tif 000003
【図２】
2010081028.tif 000004
【図３】
2010081028.tif 000005
【図４】
2010081028.tif 000006
【図５】
2010081028.tif 000007
【図６】
2010081028.tif 000008
【図７】
2010081028.tif 000009
【図８】
2010081028.tif 000010
【図９】
2010081028.tif 000011